【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
一般式（Ｉ）：
Ｂ−（ＯＲ）x    （Ｉ）
［式中、Ｂは直鎖状又は分岐鎖状のポリマー骨格であり、前記骨格は少なくとも１つの炭素原子数３以上のエチレン性不飽和脂肪族炭化水素モノマーと無水マレイン酸とのコポリマーであり、ＯＲはそれぞれ前記骨格に結合した親水性側鎖であり、ｘは前記側鎖の数を表し１〜５０００の範囲である。］で表される両親媒性ポリマー材料。
【請求項２】
前記エチレン性不飽和炭化水素モノマーがイソブチレン、１，３−ブタジエン、イソプレン、及びオクタデセンから選ばれることを特徴とする請求項１に記載の両親媒性ポリマー材料。
【請求項３】
前記側鎖ＯＲが前記骨格中の無水マレイン酸に結合していることを特徴とする請求項１又は２に記載の両親媒性ポリマー材料。
【請求項４】
ｘが１〜３００の範囲であることを特徴とする請求項１〜３のいずれかに記載の両親媒性ポリマー材料。
【請求項５】
前記側鎖がそれぞれ８００〜１００００の範囲分子量を有することを特徴とする請求項１〜４のいずれかに記載の両親媒性ポリマー材料。
【請求項６】
前記骨格が１０００〜１００００の範囲の分子量を有することを特徴とする請求項１〜５のいずれかに記載の両親媒性ポリマー材料。
【請求項７】
基Ｒが一般式（ＩＩ）：
−（ＹＯ）a−（ＺＯ）b−Ｒ3      （ＩＩ）
［式中、Ｙ及びＺはそれぞれ独立に炭素原子数２〜４のアルキレン基であり、Ｒ3はＨ、任意に置換された炭素原子数１〜１２のアルキル基、又は他のポリマー骨格であり、ａ及びｂはそれぞれ独立に１〜２００の整数であり、ａとｂの和は１〜２５０の範囲の値である。］で表されることを特徴とする請求項１〜６のいずれかに記載の両親媒性ポリマー材料。
【請求項８】
式ＩＩ中、前記アルキレン基Ｙ及びＺが共に−ＣＨ2ＣＨ2−であることを特徴とする請求項７に記載の両親媒性ポリマー材料。
【請求項９】
式ＩＩ中、前記基Ｒ3がＨ又はＣＨ3であることを特徴とする請求項７又は８に記載の両親媒性ポリマー材料。
【請求項１０】
式ＩＩ中、ａとｂの和が２０〜１２０の範囲の値であることを特徴とする請求項７〜９のいずれか一項に記載の両親媒性ポリマー材料。
【請求項１１】
前記骨格が１〜５０重量％の無水マレイン酸を含むことを特徴とする請求項１〜１０のいずれかに記載の両親媒性ポリマー材料。
【請求項１２】
先行請求項のいずれかに記載の両親媒性ポリマー材料を製造する方法であって、少なくとも１つのエチレン性不飽和脂肪族炭化水素モノマーと無水マレイン酸とのコポリマー出発物質を、一般式（ＩＩＩ）：ＨＯ−Ｒで表される側鎖前駆体と反応させて、一般式（Ｉ）で表される両親媒性ポリマー材料を得ることを特徴とする製造方法。
【請求項１３】
前記骨格の無水マレイン酸部分を前記側鎖前駆体と反応させて一般式（Ｉ）で表される両親媒性ポリマー材料を得ることを特徴とする請求項１２に記載の製造方法。
【請求項１４】
実質的に（ｉ）請求項１〜１１のいずれかに記載の両親媒性ポリマー材料、（ｉｉ）少なくとも１つのエチレン性不飽和脂肪族炭化水素モノマーと無水マレイン酸とのコポリマー出発物質、及び（ｉｉｉ）請求項１２で定義の一般式（ＩＩＩ）で表される側鎖前駆体のみからなる組成物。
【請求項１５】
直鎖状又は分岐鎖状のポリマー骨格及び前記骨格に結合した多数の親水性側鎖を有する両親媒性ポリマー材料であって、前記骨格は無水マレイン酸とエチレンと更なるエチレン性不飽和モノマーとのターポリマーであることを特徴とする両親媒性ポリマー材料。
【請求項１６】
前記更なるエチレン性不飽和モノマーがアクリル酸アルキルであることを特徴とする請求項１５に記載の両親媒性ポリマー材料。
【請求項１７】
前記更なるエチレン性不飽和モノマーが酢酸アルケニルであることを特徴とする請求項１５に記載の両親媒性ポリマー材料。
【請求項１８】
一般式（ＩＶ）：
Ｂ1−（ＹＲ1）x1    （ＩＶ）
［式中、Ｂ1は前記直鎖状又は分岐鎖状のポリマー骨格であり、ＹＲ1はそれぞれ前記骨格に結合した親水性側鎖であり、ＹはＯ又はＮＲ1であり、Ｒ1はＨ又はＣ1-4アルキルであり、ｘ1は前記側鎖の数を表し１〜５０００の範囲である。］で表されることを特徴とする請求項１５〜１７のいずれかに記載の両親媒性ポリマー材料。
【請求項１９】
ＹがＯであることを特徴とする請求項１８に記載の両親媒性ポリマー材料。
【請求項２０】
請求項１８又は１９に記載の両親媒性ポリマー材料を形成する方法であって、無水マレイン酸とエチレンと更なるエチレン性不飽和モノマーとのターポリマー出発物質を、一般式（Ｖ）：Ｈ−ＹＲ1で表される側鎖前駆体と反応させて、一般式（ＩＶ）で表される両親媒性ポリマー材料を得ることを特徴とする形成方法。
【請求項２１】
実質的に（ｉ）請求項１５〜１９のいずれかに記載の両親媒性ポリマー材料、（ｉｉ）無水マレイン酸とエチレンと更なるエチレン性不飽和モノマーとのターポリマー出発物質、及び（ｉｉｉ）請求項２０で定義の一般式（Ｖ）で表される側鎖前駆体のみからなる組成物。
【請求項２２】
直鎖状又は分岐鎖状のポリマー骨格及び前記骨格に結合した多数の親水性側鎖を有する両親媒性ポリマー材料を含有するチューインガムベースであって、前記骨格は少なくとも１つのエチレン性不飽和モノマーと無水マレイン酸とのコポリマーであることを特徴とするチューインガムベース。
【請求項２３】
前記ポリマー材料が請求項１〜１１及び１５〜１９のいずれかで定義のものであることを特徴とする請求項２２に記載のチューインガムベース。
【請求項２４】
直鎖状又は分岐鎖状のポリマー骨格及び前記骨格に結合した多数の親水性側鎖を有する両親媒性ポリマー材料と１以上の甘味料又は香料を含むチューインガム組成物であって、前記骨格は少なくとも１つのエチレン性不飽和モノマーと無水マレイン酸とのコポリマーであることを特徴とするチューインガム組成物。
【請求項２５】
請求項２２又は２３で定義のチューインガムベースを含有することを特徴とする請求項２４に記載のチューインガム組成物。
【請求項２６】
更に生物活性成分を含有することを特徴とする請求項２４又は２５に記載のチューインガム組成物。
【請求項２７】
請求項１〜１１及び１５〜１９のいずれかに記載の両親媒性ポリマー材料を含有する乳剤。
【請求項２８】
油中水型乳剤又は水中油型乳剤であることを特徴とする請求項２７に記載の乳剤。
【請求項２９】
請求項１〜１１及び１５〜１９のいずれかで定義の両親媒性ポリマー材料を乳化剤として用いる使用方法。
【請求項３０】
請求項１〜１１及び１５〜１９のいずれかで定義の両親媒性ポリマー材料をクリーニング用の界面活性剤として用いる使用方法。
【請求項３１】
ｘが１〜１５０の範囲であることを特徴とする請求項１〜３のいずれかに記載の両親媒性ポリマー材料。
【請求項３２】
前記更なるエチレン性不飽和モノマーが酢酸ビニルであることを特徴とする請求項１５に記載の両親媒性ポリマー材料。
【手続補正２】
【補正対象書類名】明細書
【補正対象項目名】００２６
【補正方法】変更
【補正の内容】
【００２６】
通常、両親媒性ポリマー材料の側鎖は親水性である。一般式（Ｉ）のポリマー材料中、各側鎖はＯＲで表される。ターポリマー骨格を有する両親媒性ポリマー材料中では、側鎖は窒素原子又は酸素原子を介して骨格に結合していてよい。即ち、この両親媒性ポリマー材料は一般式（ＩＶ）：
Ｂ1−（ＹＲ1）x1    （ＩＶ）
［式中、Ｂ1は上記直鎖状又は分岐鎖状のポリマー骨格であり、ＹＲ1はそれぞれ骨格に結合した親水性側鎖であり、Ｙは酸素（Ｏ）又はＮＲ１であり、Ｒ１はＨ又はＣ1-4アルキルであり、ｘ1は側鎖の数を表し１〜５０００の範囲内である。］により表されるものであってよい。
【手続補正３】
【補正対象書類名】明細書
【補正対象項目名】０１１６
【補正方法】変更
【補正の内容】
【０１１６】
本発明の第７の態様では、上記チューインガム組成物に関連して説明した両親媒性材料を含有する乳剤が提供される。この場合、両親媒性材料は通常は乳化剤として作用する。この乳剤は水中油型又は油中水型の乳剤であってよく、化粧品又は家庭用品（塗料等）に使用できる。両親媒性ポリマー材料は乳剤を安定化する界面活性剤として作用する場合もある。